(57)【要約】【課題】コンパクトな薄型に形成することにより、常に携帯することができるようにした面発光照明具を提供すること。【解決手段】発光ダイオード１を導光板２の端縁部に配設するとともに、導光板２の表面側に光学処理層３及び透明保護層４を、裏面側に反射層５をそれぞれ順に層状に配設する。【選択図】  図１
2004319373.tif 000002
【特許請求の範囲】
【請求項１】
発光ダイオードを導光板の端縁部に配設するとともに、導光板の表面側に光学処理層及び透明保護層を、裏面側に反射層をそれぞれ順に層状に配設したことを特徴とする面発光照明具。
【請求項２】
全体を略クレジットカード大に形成したことを特徴とする請求項１記載の面発光照明具。
【発明の詳細な説明】
【０００１】
【発明の属する技術分野】
本発明は、面発光照明具に関し、特に、コンパクトな薄型に形成することにより、常に携帯することができるようにした面発光照明具に関するものである。
【０００２】
【従来の技術】
地震等の災害は昼夜を選ばず発生し、夜間や暗闇でこのような災害に遭遇した場合は被害も大きくなる。
夜間や暗闇では懐中電灯が役立つことになるが、懐中電灯は、こうした夜間の非常事態に欠くことのできない非常用電灯として、一般家庭をはじめ、宿泊施設、その他様々な施設において常備されていて、夫々所定の箇所に収められているのが普通である。
【０００３】
【発明が解決しようとする課題】
しかしながら、このような懐中電灯は、かさばるために外出時などは携帯していないのが現状であり、いざというときに手元になくて使用できない場合が多く、夜間の非常時に手探りで行動しなければならないという問題が発生する。
【０００４】
本発明は、上記従来の照明具が有する問題点に鑑み、コンパクトな薄型に形成することにより、常に携帯することができるようにした面発光照明具を提供することを目的とする。
【０００５】
【課題を解決するための手段】
上記目的を達成するため、本発明の面発光照明具は、発光ダイオードを導光板の端縁部に配設するとともに、導光板の表面側に光学処理層及び透明保護層を、裏面側に反射層をそれぞれ順に層状に配設したことを特徴とする。
【０００６】
この面発光照明具は、発光ダイオードを導光板の端縁部に配設するとともに、導光板の表面側に光学処理層及び透明保護層を、裏面側に反射層をそれぞれ順に層状に配設することによって、財布やハンドバッグ等に入れて常に携帯することができる均一に面状に発光する簡易な照明具となる。
【０００７】
この場合において、全体を略クレジットカード大に形成することができる。
【０００８】
これにより、財布やパスケース等に簡単に収納することができ、携帯性を向上することができる。
【０００９】
【発明の実施の形態】
以下、本発明の面発光照明具の実施の形態を図面に基づいて説明する。
【００１０】
図１〜図２に、本発明の面発光照明具の第１実施例を示す。
この面発光照明具は、発光ダイオード１を導光板２の端縁部に配設するとともに、導光板２の表面側に光学処理層としての光学シート３及び透明保護層としての透明保護板４を、裏面側に反射層としての反射シート５をそれぞれ順に層状に配設し、全体を略クレジットカード大に形成している。
【００１１】
発光ダイオード１は、特に限定されるものではないが、本実施例では白色のものを２個使用し、２個の薄型のボタン電池６を電源としている。
なお、使用する発光ダイオード１は、本実施例では２個を導光板２の一端縁部に並べて配設するようにしているが、面発光照明具の発光面の大きさや形状に応じて、使用個数を１個又は３個以上の複数個とするようにしたり、配設位置を変更する（例えば、導光板２の対向する端縁部に配設する）こともでき、また、発光色も、面発光照明具の用途に応じて、白色以外の色に発光する発光ダイオードを用いる（例えば、複数色の発光ダイオードを組み合わせて用いる）こともできる。
そして、この発光ダイオード１は、押釦スイッチ７を押すことにより、基板７１に構成された回路が通電して発光するようにされている。
【００１２】
導光板２は、端縁部から入射した光を均一に面状に発光させるもので、表面側に、拡散シート３１及びプリズムシート３２とを備えた光学シート３と、アクリル樹脂等からなる透明保護板４を層状に配設している。
また、導光板２は、裏面側に反射シート５と中蓋８、裏蓋９をそれぞれ順に層状に配設している。
なお、光学処理層としての光学シート３及び透明保護層としての透明保護板４並びに反射層としての反射シート５は、必要に応じて、そのすべて又は一部の機能を導光板２や中蓋８等の本体側に組み込む（例えば、反射層を蒸着等によって中蓋８等の本体側に直接形成する）ことによって、導光板２や中蓋８等の本体側と実質的に一体化することもできる。
【００１３】
そして、面発光照明具は、図２に示すように、これら構造体の周囲を合成樹脂枠等からなる本体１０で取り囲み、該本体１０の周囲を外枠１１で覆うとともに、本体１０の前面に発光エリア１２を窓開き状に開放した表蓋を１３配設し、全体を略クレジットカード大に形成している。
【００１４】
また、面発光照明具は、本実施例では、例えば、発光エリア１２の寸法を約４３×３２ｍｍ、全体の寸法を略クレジットカード大の約８５×５５ｍｍ、厚みを約３〜４ｍｍとしているが、これに限定されるものではなく、特に、発光エリア１２の寸法は、これより大きくしたり、小さくすることができる。
そして、面発光照明具は、その全体の寸法を略クレジットカード大の約８５×５５ｍｍとし、厚みを約３〜４ｍｍと可能な限り薄く形成することによって、財布やパスケース等に簡単に収納することができ、携帯性を向上することができるものとなる。
【００１５】
なお、透明保護板４は、図３に示すように、本体１０と一体に構成することもできる。
【００１６】
また、図４〜図５に、本発明の面発光照明具の第２実施例を示す。
この面発光照明具は、左右スライド式のスイッチ１４を備えている。図において、１６は電池蓋、１７は電池ばねをそれぞれ示している。
【００１７】
また、図６〜図７に、本発明の面発光照明具の第３実施例を示す。
この面発光照明具は、上下スライド式のスイッチ１５を備えている。図において、１６は電池蓋、１７は電池ばねをそれぞれ示している。
【００１８】
なお、これら第２実施例や第３実施例のその他の構成は、先に説明した第１実施例の面発光照明具とほぼ同じであり、同一部材は同一符号を記すことにより説明を省略する。
【００１９】
上記各実施例の面発光照明具は、発光ダイオード１を導光板２の端縁部に配設するとともに、導光板２の表面側に光学処理層としての光学シート３及び透明保護層としての透明保護板４を、裏面側に反射層としての反射シート５をそれぞれ順に層状に配設し、全体を略クレジットカード大に形成することから、財布やパスケース、ハンドバッグ等に入れて常に携帯することができる均一に面状に発光する簡易な照明具とすることができ、これにより、夜間や暗闇で非常事態に遭遇した場合でも、周囲を照らして状況を確認し落ち着いた行動をとることができ、安全性を向上することができる。
【００２０】
以上、本発明の面発光照明具を、その実施例に基づいて説明したが、本発明の面発光照明具の構成は、上記実施例の記載に限定されるものではなく、用途も、非常用のほか、発光面に各種装飾を施すこと等により夜間に開催されるイベントや遊園地の土産品等として活用するようにしたり、固定台を取り付けてスタンドとして使用するようにする等、その趣旨を逸脱しない範囲において適宜に変更することが可能である。
【００２１】
【発明の効果】
本発明の面発光照明具によれば、発光ダイオードを導光板の端縁部に配設するとともに、導光板の表面側に光学処理層及び透明保護層を、裏面側に反射層をそれぞれ順に層状に配設することによって、財布やハンドバッグ等に入れて常に携帯することができる均一に面状に発光する簡易な照明具とすることができ、これにより、夜間や暗闇で非常事態に遭遇した場合でも、周囲を照らして状況を確認し落ち着いた行動をとることができ、安全性を向上することができる。
【００２２】
また、全体を略クレジットカード大に形成することにより、財布やパスケース等に簡単に収納することができ、携帯性を向上することができる。
【図面の簡単な説明】
【図１】本発明の面発光照明具の第１実施例を示し、（ａ）は一部を透視した正面図、（ｂ）は下部の断面図である。
【図２】同実施例の面発光照明具の上部を示す拡大断面図である。
【図３】内部構成を変更した面発光照明具の上部を示す拡大断面図である。
【図４】本発明の面発光照明具の第２実施例を示す３面図である。
【図５】同実施例の面発光照明具を示し、（ａ）は一部を透視した正面図、（ｂ）は断面図である。
【図６】本発明の面発光照明具の第３実施例を示す３面図である。
【図７】同実施例の面発光照明具を示し、（ａ）は一部を透視した正面図、（ｂ）は断面図である。
【符号の説明】
１    発光ダイオード
２    導光板
３    光学シート（光学処理層）
３１  拡散シート
３２  プリズムシート
４    透明保護板（透明保護層）
５    反射シート（反射層）
６    ボタン電池
７    押釦スイッチ
７１  基板
８    中蓋
９    裏蓋
１０  本体
１１  外枠
１２  発光エリア
１３  表蓋
１４  スイッチ
１５  スイッチ
１６  電池蓋
１７  電池ばね
【図１】
2004319373.tif 000003
【図２】
2004319373.tif 000004
【図３】
2004319373.tif 000005
【図４】
2004319373.tif 000006
【図５】
2004319373.tif 000007
【図６】
2004319373.tif 000008
【図７】
2004319373.tif 000009